(57)【要約】【課題】端子金具が上下逆向きの姿勢でキャビティに挿入されてそのまま収容されることを確実に防ぐことが可能なコネクタハウジングを提供する。【解決手段】相手側の端子金具との接続部を有する端子本体部４１と、同端子本体部４１の外側面に突設されたスタビライザ４３とを有する端子金具４０を収容可能なキャビティ１１が設けられ、前記キャビティ１１は、前記端子本体部４１が収容される本体収容部１２と、前記端子金具４０が正規の姿勢で前記キャビティ１１に挿入された場合に前記スタビライザ４３が入り込んで前進可能な溝部２１と、前記端子金具４０が上下逆向きの姿勢で前記キャビティ１１に挿入された場合に前記端子本体部４１のうち少なくとも前端部が前記本体収容部１２に入り込んだタイミングで前記スタビライザ４３が落ち込む凹部２３とを備えている。【選択図】図５
2016039046.tif 000002
【特許請求の範囲】
【請求項１】
相手側の端子金具との接続部を有する端子本体部と、同端子本体部の外側面に突設されたスタビライザとを有する端子金具を収容可能なキャビティが設けられ、
前記キャビティは、前記端子本体部が収容される本体収容部と、前記端子金具が正規の姿勢で前記キャビティに挿入された場合に前記スタビライザが入り込んで前進可能な溝部と、前記端子金具が上下逆向きの姿勢で前記キャビティに挿入された場合に前記端子本体部のうち少なくとも前端部が前記本体収容部に入り込んだタイミングで前記スタビライザが落ち込む凹部とを備えているコネクタハウジング。
【請求項２】
前記キャビティが高さ方向に複数段にわけて設けられ、
前記本体収容部の後側には、高さ方向にリテーナが着脱可能なリテーナ装着部が設けられ、
前記リテーナの装着方向における最も奥側に位置する段の前記キャビティにおいては前記凹部が前記リテーナ装着部の奥面に凹み形成されるとともに同凹部の前面が前記リテーナ装着部の前面と前後方向において揃った位置に設けられ、
他の段の前記キャビティにおいては、前記リテーナ装着部の前面と前記リテーナに形成された窪み部とで前記凹部が形成される請求項１に記載のコネクタハウジング。
【発明の詳細な説明】
【技術分野】
【０００１】
本発明は、コネクタハウジングに関する。
【背景技術】
【０００２】
従来、本体部の外側面にスタビライザが突設された端子金具が収容されるコネクタハウジングが知られている（例えば下記特許文献１に記載）。このコネクタハウジングには、端子金具が後方から挿入されて収容されるキャビティが複数設けられ、各キャビティには、端子金具が正規の姿勢で挿入された場合にスタビライザが入り込んで前進可能な溝部が形成されている。そして、端子金具が上下逆向きの姿勢でキャビティに挿入された場合には、スタビライザがキャビティの縁部に当接して、それ以上の挿入動作が制限されるようになっている。
【先行技術文献】
【特許文献】
【０００３】
【特許文献１】特開２０１３−９８０７２号公報
【発明の概要】
【発明が解決しようとする課題】
【０００４】
ところで、一般にキャビティは入り口側よりも奥側が狭くなっている。このため、キャビティに端子金具を挿入する際には、端子金具が正規の姿勢で挿入された場合であっても、キャビティが狭まるところで挿入抵抗が生じる。したがって、上記のような構成では、端子金具が上下逆向きの姿勢で挿入された場合に、スタビライザがキャビティの縁部に当接しているにもかかわらず、作業者が正常時に生じる挿入抵抗だと勘違いし、端子金具を押し続けることによってスタビライザがキャビティの縁部を押し広げるようにして端子金具がキャビティ内を前進し、そのまま収容されてしまう虞があった。
【０００５】
本発明は上記のような事情に基づいて完成されたものであって、端子金具が上下逆向きの姿勢でキャビティに挿入されてそのまま収容されることを確実に防ぐことが可能なコネクタハウジングを提供することを目的とする。
【課題を解決するための手段】
【０００６】
本発明のコネクタハウジングは、相手側の端子金具との接続部を有する端子本体部と、同端子本体部の外側面に突設されたスタビライザとを有する端子金具を収容可能なキャビティが設けられ、前記キャビティは、前記端子本体部が収容される本体収容部と、前記端子金具が正規の姿勢で前記キャビティに挿入された場合に前記スタビライザが入り込んで前進可能な溝部と、前記端子金具が上下逆向きの姿勢で前記キャビティに挿入された場合に前記端子本体部のうち少なくとも前端部が前記本体収容部に入り込んだタイミングで前記スタビライザが落ち込む凹部とを備えている。
【発明の効果】
【０００７】
本発明によれば、端子金具が正規の姿勢でキャビティに挿入された場合には、スタビライザが溝部に入って端子金具の前進が許容され、端子金具が上下逆向きの姿勢でキャビティに挿入された場合には、端子金具の前端部がキャビティの本体収容部に入り込んだタイミングで、スタビライザが凹部に落ち込んで端子金具の前進が制限される。したがって、作業者は正常時に生じる挿入抵抗とは異なる手応えを感じることができるから、端子金具が上下逆向きの姿勢でキャビティに挿入されてそのまま収容されることを確実に防ぐことができる。
【図面の簡単な説明】
【０００８】
【図１】本実施例におけるコネクタハウジングを示す背面図
【図２】コネクタハウジングを示す断面図であって、図１のＡ−Ａ位置における断面に相当する断面図
【図３】端子金具が正規の姿勢でキャビティに収容された状態を示すコネクタハウジングの断面図であって、図１のＢ−Ｂ位置における断面に相当する断面図
【図４】端子金具のスタビライザが溝部に入り込んだ状態を示すコネクタハウジングの一部拡大断面図
【図５】端子金具が上下逆向きの姿勢でキャビティに挿入された様子を示すコネクタハウジングの断面図であって、図１のＢ−Ｂ位置における断面に相当する断面図
【図６】端子金具のスタビライザが凹部に落ち込んだ状態を示すコネクタハウジングの一部拡大断面図
【発明を実施するための形態】
【０００９】
本発明の好ましい形態を以下に示す。
本発明のコネクタハウジングは、前記キャビティが高さ方向に複数段にわけて設けられ、前記本体収容部の後側には、高さ方向にリテーナが着脱可能なリテーナ装着部が設けられ、前記リテーナの装着方向における最も奥側に位置する段の前記キャビティにおいては前記凹部が前記リテーナ装着部の奥面に凹み形成されるとともに同凹部の前面が前記リテーナ装着部の前面と前後方向において揃った位置に設けられ、他の段の前記キャビティにおいては、前記リテーナ装着部の前面と前記リテーナに形成された窪み部とで前記凹部が形成されるものとしてもよい。
【００１０】
このような構成によれば、リテーナの装着方向における最も奥側に位置する段のキャビティと、他の段のキャビティとで凹部の形成位置が前後方向に揃うので、端子金具が上下逆向きの姿勢でキャビティに挿入されたときにスタビライザが凹部に落ち込むタイミングが同じになるから、このタイミングが異なる場合に比して作業者が端子金具の誤った姿勢での挿入を認識しやすくすることができる。
【００１１】
＜実施例＞
以下、本発明を具体化した一実施例について、図１〜図６を参照しつつ詳細に説明する。なお、各構成部材において、図３の左側（相手側コネクタとの嵌合方向における前側）を前方、右側を後方として説明する。本実施例のコネクタハウジングＨは、端子本体部４１の外側面にスタビライザ４３が突設された端子金具４０が収容されるものである。
【００１２】
端子金具４０は、金属平板を打ち抜いて曲げ加工することにより、全体として前後方向に長い形状に形成されている（図３参照）。端子金具４０は雌型の端子金具であり、図示しない雄型の端子金具と接続可能とされている。端子金具４０の前側部分には、相手の端子金具との接続部を有する端子本体部４１が設けられている。端子本体部４１は、底板部の幅方向の両側縁から上方に起立する一対の側板部と、その側板部の上端から底板部と対向するように屈曲された２枚重ねの上板部とを有し、前方から相手端子金具の雄タブが挿入可能な角筒状をなしている。端子本体部４１の内部には、挿入された雄タブを弾性的に挟持可能な弾性片（接続部）が設けられている。
【００１３】
端子本体部４１の上面側には、コネクタハウジングＨに設けられたランス１３が係止可能なランス係止部４２が設けられている。ランス係止部４２は、端子本体部４１のうち前端寄りに位置している。
【００１４】
また、端子本体部４１の上面側には、スタビライザ４３が突設されている。スタビライザ４３は、図４に示すように、端子本体部４１の幅方向における略中央に設けられ、正面から見ると、その幅方向の中央が最も高く突出するドーム状に形成されている。スタビライザ４３の前面は、端子金具４０の長さ方向に対して略垂直をなす切り立った面とされている。スタビライザ４３の後面は、ランス係止部４２と前後方向の位置が揃って配されている。なお、端子本体部４１のうち後端寄りの位置には、スタビライザ４３と略同形状の凸部４４が突設されている。
【００１５】
端子本体部４１の後面は、後述するリテーナ１７が係止可能なリテーナ係止部４５とされている。リテーナ係止部４５は、端子本体部４１の上側部分に形成されている。
【００１６】
端子金具４０の後側部分には、電線Ｗの芯線をかしめ固定するワイヤバレル部４６と、ゴム栓４７ともども電線Ｗの被覆部をかしめ固定するインシュレーションバレル部４８とが設けられている。ゴム栓４７は、例えばシリコン製であって全体として円筒状をなし、その外周面には前後方向に一定間隔をあけて複数のリップ部４９が突出して設けられている。
【００１７】
コネクタハウジングＨは、端子金具４０が収容されるキャビティ１１が複数設けられたハウジング本体１０と、ハウジング本体１０の前面側に組み付けられるフロントホルダ３０と、を備えている。
【００１８】
ハウジング本体１０の内部には、後方から端子金具４０が挿入されるキャビティ１１が、高さ方向に２段にわけて設けられている。
各キャビティ１１の前側部分には、端子金具４０の端子本体部４１が収容される本体収容部１２が設けられている。本体収容部１２は、端子本体部４１に整合する断面略方形状をなして前方に開口している。
【００１９】
各本体収容部１２には、端子金具４０に一次係止してその抜け止めを図るランス１３が設けられている。ランス１３は、本体収容部１２の上面に設けられ、前方に向かう片持ち状をなし、その前端が、キャビティ１１に収容された端子金具４０のランス係止部４２に係止する。ランス１３は、上下方向に弾性撓み可能とされている。
【００２０】
各キャビティ１１の後側部分には、ゴム栓４７が収容されるゴム栓収容部１４が設けられている。ゴム栓収容部１４は断面略円形状をなし、ゴム栓４７のリップ部４９がゴム栓収容部１４の内周面に密着することで、キャビティ１１の内部に水が浸入することが制限される。
【００２１】
各キャビティ１１のうちゴム栓収容部１４の前側には、前方に向かってキャビティ１１の幅寸法を徐々に狭める断面変化部１５が設けられている。断面変化部１５は、後端から前端に向かって徐々にキャビティ１１内への張り出し寸法が増す傾斜面１５Ｋを有している。
【００２２】
そして、各キャビティ１１のうち断面変化部１５よりも前側の部分は、ゴム栓収容部１４よりも一回り小さい断面方形状に形成された方形断面部１６とされている。方形断面部１６の断面形状は、本体収容部１２の断面形状と略同形とされている。なお、断面変化部１５および方形断面部１６には、端子金具４０のワイヤバレル部４６の一部が収容される。
【００２３】
ハウジング本体１０には、ハウジング本体１０に収容された端子金具４０に二次係止してその抜け止めを図るリテーナ１７が設けられている。リテーナ１７は、ハウジング本体１０に設けられたリテーナ装着部１８に着脱可能とされている。リテーナ装着部１８は、ハウジング本体１０の上面に開口するとともに、上下２段のキャビティ１１に連通して設けられている。リテーナ装着部１８は、キャビティ１１のうち本体収容部１２と方形断面部１６との間に形成されている。
【００２４】
リテーナ１７は、端子金具４０の挿抜を許容する仮係止位置と、端子金具４０の抜け止めをする本係止位置とに移動可能とされている。リテーナ１７が仮係止位置に配されているときには、各キャビティ１１に対応して設けられた抜止部１９が各キャビティ１１から退避し、リテーナ１７が本係止位置に配されているときには、抜止部１９が各キャビティ１１に突出して端子金具４０のリテーナ係止部４５に後側から係止する。
【００２５】
各キャビティ１１には、端子金具４０が正規の姿勢でキャビティ１１に挿入された場合に、スタビライザ４３が入り込んで前進可能な溝部２１が設けられている。溝部２１は、キャビティ１１の上面側に設けられている。溝部２１は、断面変化部１５の後端から、後述するフロントホルダ３０の収容凹部３３に至るまで前後方向に延びて設けられている。溝部２１は、図４に示すように、スタビライザ４３の外形に沿う曲面を有して上側に凹んだ形態とされている。
【００２６】
フロントホルダ３０は、ハウジング本体１０の前面側を覆う前壁部３１と、ハウジング本体１０の外周面側に被さる周壁部３２とを有している。
前壁部３１には、キャビティ１１に挿入された端子金具４０の前端部が収容される収容凹部３３が、各キャビティ１１に対応して設けられている（図３参照）。収容凹部３３には、各端子金具４０の端子本体部４１のうちスタビライザ４３を含んだ前端部が収容される。収容凹部３３においてスタビライザ４３は溝部２１の端部に収容され、端子本体部４１は、ほぼ隙間なく収容凹部３３に収容される。フロントホルダ３０の前壁部３１によって端子金具４０の前止まりがなされる。
【００２７】
フロントホルダ３０の周壁部３２には、ハウジング本体１０に係止するロック突起３４が設けられられている。ロック突起３４は、周壁部３２の内周面に突設され、ハウジング本体１０の外周面に凹設されたロック孔２２に嵌合するものとされている。
【００２８】
さて、各キャビティ１１には、図５に示すように、端子金具４０が上下逆向きの姿勢でキャビティ１１に挿入された場合に、端子本体部４１のうち少なくとも前端部が本体収容部１２に入り込んだタイミングでスタビライザ４３が落ち込む凹部２３が備えられている。
【００２９】
凹部２３はすべてのキャビティ１１に一ずつ設けられている。凹部２３は、図２に示すように、平面視方形状をなした凹みであり、前面２３Ｍ、後面２３Ｕ、および一対の側面２３Ｓの４つの面によって構成されている。凹部２３の前面２３Ｍは、前後方向に対して略直角をなす面とされている。凹部２３は、スタビライザ４３が嵌合可能な幅寸法および前後方向寸法を有している。凹部２３は、各キャビティ１１の幅方向の略中央に設けられている。
【００３０】
下段（リテーナ１７の装着方向における最も奥側に位置する段）のキャビティ１１においては、凹部２３がリテーナ装着部１８の奥面（下面）に形成されている。下段のキャビティ１１の凹部２３は、ハウジング本体１０の壁に凹み形成され、その外側に形成されたロック孔２２に連通している。下段のキャビティ１１の凹部２３は、その前面２３Ｍが、リテーナ装着部１８の前面１８Ｍと前後方向において揃う位置に設けられている。
【００３１】
上段（他の段）のキャビティ１１においては、リテーナ装着部１８の前面１８Ｍとリテーナ１７に形成された窪み部１７Ｋとで凹部２３が形成されている。窪み部１７Ｋは、後面および一対の側面の３つの面によって構成され、前方に開放された形態とされている。リテーナ１７が仮係止位置にある状態で、リテーナ装着部１８の前面１８Ｍと窪み部１７Ｋとで凹部２３が形成される。
【００３２】
次に、端子金具４０をコネクタハウジングＨに収容する作業の一例について説明する。
リテーナ１７を仮係止位置に保持させて、端子金具４０をキャビティ１１に後方から挿入すると、端子金具４０の端子本体部４１がキャビティ１１のゴム栓収容部１４を通過し、やがて断面変化部１５に至る。そして、スタビライザ４３が溝部２１に進入し、端子金具４０のさらなる前進が許容される。この際、端子本体部４１は、幅寸法が大きいゴム栓収容部１４から幅寸法が徐々に狭まる断面変化部１５に至るため、作業者は、若干の挿入抵抗を感じつつ端子金具４０を前方へ押すことになる。やがて、端子金具４０は、端子本体部４１の前端部でランス１３を上方に押圧して撓ませ、キャビティ１１の本体収容部１２内を前進する。その際、スタビライザ４３は、ランス１３の下面に形成された溝部２１内を通過する。そして、図３に示すように、端子本体部４１の前端部がフロントホルダ３０の収容凹部３３に収容されて前止まりがなされるとともに、ランス１３が弾性復帰してランス係止部４２に一次係止し、またゴム栓４７がゴム栓収容部１４に密着した状態になる。このようにして順に端子金具４０をキャビティ１１に挿入する。
【００３３】
ここで、上下逆向きの姿勢で端子金具４０をキャビティ１１に挿入してしまうことがある。このような場合には、端子金具４０の端子本体部４１がキャビティ１１のゴム栓収容部１４を通過し、やがて断面変化部１５に至った際、スタビライザ４３が溝部２１に進入しないので、作業者は比較的大きな挿入抵抗を感じ、端子金具４０の姿勢の誤りに気が付くことができる。しかしながら作業者は、この際の挿入抵抗を、端子金具４０を正規の姿勢で挿入したときに生じる挿入抵抗であると勘違いし、さらに端子金具４０を押してしまうことがある。すると、端子本体部４１はキャビティ１１を若干押し広げるようにして前進し、やがてリテーナ装着部１８に至り、若干スペースに余裕のあるリテーナ装着部１８を通過する。そして、図５に示すように、端子本体部４１の前端部が本体収容部１２に入り込むと同時に、端子本体部４１の姿勢が矯正され、スタビライザ４３が凹部２３に落ち込む。これにより、端子金具４０の前進が止められ、作業者は端子金具４０の姿勢の誤りに気付くことができ、端子金具４０を正しい姿勢で挿入しなおすことができる。
【００３４】
そして、すべての端子金具４０を正しい姿勢でキャビティ１１に挿入し終えたら、リテーナ１７を本係止位置に移動させ、全ての端子金具４０に二次係止させる。以上により、端子金具４０をコネクタハウジングＨに収容する作業が完了する。
【００３５】
次に、上記のように構成された実施例の作用および効果について説明する。
本実施例のコネクタハウジングＨには、相手側の端子金具との接続部を有する端子本体部４１と、端子本体部４１の外側面に突設されたスタビライザ４３とを有する端子金具４０を収容可能なキャビティ１１が設けられており、キャビティ１１は、端子本体部４１が収容される本体収容部１２と端子金具４０が正規の姿勢でキャビティ１１に挿入された場合にスタビライザ４３が入り込んで前進可能な溝部２１と、端子金具４０が上下逆向きの姿勢でキャビティ１１に挿入された場合に端子本体部４１のうち少なくとも前端部が本体収容部１２に入り込んだタイミングでスタビライザ４３が落ち込む凹部２３とを備えている。
【００３６】
この構成によれば、端子金具４０が正規の姿勢でキャビティ１１に挿入された場合には、スタビライザ４３が溝部２１に入って端子金具４０の前進が許容され、端子金具４０が上下逆向きの姿勢でキャビティ１１に挿入された場合には、端子金具４０の前端部がキャビティ１１の本体収容部１２に入り込んだタイミングで、スタビライザ４３が凹部２３に落ち込んで端子金具４０の前進が制限される。したがって、作業者は通常生じる挿入抵抗とは異なる手応えを感じることができるから、端子金具４０が上下逆向きの姿勢でキャビティ１１に挿入されてそのまま収容されることを確実に防ぐことができる。
【００３７】
また、キャビティ１１が高さ方向に複数段にわけて設けられ、本体収容部１２の後側には、リテーナ１７が高さ方向に着脱可能なリテーナ装着部１８が設けられ、リテーナ１７の装着方向における最も奥側に位置する段のキャビティ１１においては凹部２３がリテーナ装着部１８の奥面に形成されるとともに凹部２３の前面２３Ｍがリテーナ装着部１８の前面１８Ｍと前後方向において揃った位置に設けられ、他の段のキャビティ１１においては、リテーナ装着部１８の前面１８Ｍとリテーナ１７に形成された窪み部１７Ｋとで凹部２３が形成される。
【００３８】
この構成によれば、リテーナ１７の装着方向における最も奥側に位置する段のキャビティ１１と、他の段のキャビティ１１とで凹部２３の形成位置が前後方向に揃っており、端子金具４０が上下逆向きの姿勢でキャビティ１１に挿入されたときにスタビライザ４３が凹部２３に落ち込むタイミングが同じになるから、このタイミングが異なる場合に比して作業者が端子金具４０の誤った姿勢での挿入を認識しやすくすることができる。
【００３９】
＜他の実施例＞
本発明は上記記述及び図面によって説明した実施例に限定されるものではなく、例えば次のような実施例も本発明の技術的範囲に含まれる。
（１）上記実施例では、端子金具４０は雌型の端子金具であるが、これに限らず、端子金具は雄型の端子金具であってもよい。
（２）上記実施例では、凹部２３は、その前面２３Ｍがリテーナ装着部１８の前面１８Ｍと揃う位置に設けられているが、これに限らず、例えば凹部は、リテーナ装着部の後部寄りの位置に設けてもよいし、本体収容部内に設けても良い。
（３）上記実施例では、コネクタハウジングＨが、ハウジング本体１０にフロントホルダ３０を組み付けてなるものであるが、これに限らず、コネクタハウジングはハウジング本体を構成する部分とフロントホルダを構成する部分とが一体に形成されたものであってもよい。
（４）上記実施例では、キャビティ１１が２段にわけて設けられているが、これに限らず、キャビティは１段のみまたは３段以上にわけて設けても良い。
（５）上記実施例では、本発明を、リテーナ１７が備えられたコネクタハウジングＨに適用した場合について説明したが、これに限らず、本発明は、リテーナが備えられていないコネクタハウジングにも適用することができる。
【符号の説明】
【００４０】
Ｈ…コネクタハウジング
１１…キャビティ
１２…本体収容部
１７…リテーナ
１７Ｋ…窪み部
１８…リテーナ装着部
１８Ｍ…前面
２１…溝部
２３…凹部
２３Ｍ…前面
４０…端子金具
４１…端子本体部
４３…スタビライザ
【図１】
2016039046.tif 000003
【図２】
2016039046.tif 000004
【図３】
2016039046.tif 000005
【図４】
2016039046.tif 000006
【図５】
2016039046.tif 000007
【図６】
2016039046.tif 000008